(57)【要約】      （修正有）【課題】登録された会員からアップロードされた画像データを会員に閲覧に供する画像投稿管理システム及び画像投稿管理方法を提供する。【解決手段】通信ネットワーク又はインターネットを介して通信可能なサーバと、システム管理者側端末機と、グループ管理者端末機とユーザ側端末機とからなる画像投稿管理方法で、ユーザはＩＤ、パスワードを入力してサーバ内で照合し、許可されたユーザがグループ内のユーザに対して画像を閲覧可能にし、さらに外部から入会希望者に対してはシステム管理者の許可に基づいていずれかのグループに所属させ、そのグループ内で画像を投稿、閲覧、印刷を可能にする。【選択図】図１
2008108027.tif 000002
【特許請求の範囲】
【請求項１】
アップロードされた画像データを掲載して閲覧可能にするための閲覧ページと、該閲覧ページに掲載を希望する画像データをアップロードするため投稿ページとを含む会員制ウェブページを少なくとも一つを有する画像投稿管理システムで、該画像投稿管理システムへのアクセスを可能にするためにログインページを含むインターネット上に公開されたウェブページを提供するサーバと、該サーバと通信ネットワークを介して通信可能に接続され、前記ウェブページを運営・管理するシステム管理者側端末装置と、前記サーバとインターネットを介して通信可能に接続され、少なくとも一つのグループから構成され、それぞれのグループにはグループ管理者端末装置が配されたユーザ側端末装置と、前記サーバはあらかじめ登録されたユーザの個人特定情報と所定結果に応じて加算される累積ポイントを記憶する個人情報記憶手段と、前記投稿ページからアップロードされた画像を記憶し、画像が貼り付けられた画像記憶手段と、ログインページから受信した個人特定情報を前記個人情報記憶手段が予め記憶した個人特定情報と照合し、一致した場合に前記会員制ウェブページへのアクセスを許可する認証手段と、前記認証手段の認証結果に基づいて前記画像データを前記閲覧ページに掲載する掲載手段と、前記画像データをアップロードした投稿者の前記累積ポイントを加算する画像投稿ポイント加算手段と、を備えた画像投稿管理システム。
【請求項２】
前記システム管理者側端末装置は前記ユーザ側端末装置の閲覧、投稿、印刷の少なくとも一つを希望する外部端末装置側に対して、会員登録のための会員登録ＵＲＬをメールで発行する手段と、前記メールアドレスを記憶する記憶手段とを備え、前記外部端末装置側から前記会員登録ＵＲＬにアクセスされた場合に、前記外部端末装置の会員登録と前記記憶手段に記憶されたメールアドレスとの照合をして一致の際に、前記外部端末装置側に画像の閲覧、投稿、印刷の少なくとも一つを可能とする請求項１に記載の画像投稿管理システム。
【請求項３】
前記システム管理者側端末装置は前記ユーザ側端末装置の閲覧を希望する外部端末装置側に対して、グループ確認ＵＲＬを通知する手段と、前記外部端末装置側に画像の閲覧を可能とする請求項１に記載の画像投稿管理システム。
【請求項４】
アップロードされた画像データを掲載して閲覧可能にするための閲覧ページと、該閲覧ページに掲載を希望する画像データをアップロードするため投稿ページとを含む会員制ウェブページを少なくとも一つを有し、サーバと通信ネットワークを介して通信可能に接続され、前記ウェブページを運営・管理するシステム管理者側端末装置と、前記サーバとインターネットを介して通信可能に接続され、少なくとも一つのグループから構成され、それぞれのグループにはグループ管理者が配されたユーザ側端末装置と、前記サーバはあらかじめ登録されたユーザの特定個人情報と所定結果に応じて加算される累積ポイントを記憶する個人情報記憶手段と、前記投稿ページからアップロードされた画像を記憶し、画像が貼り付けられた画像記憶手段とを備えた画像投稿管理システムにおいてユーザが画像データを投稿する方法で、前記サーバのログインページにアクセスするステップと、前記ログインページから受信した特定個人情報を前記個人情報記憶手段が予め記憶した特定個人情報と照合し、一致した場合に前記会員制ウェブページへのアクセスを許可するステップと、前記画像データを前記閲覧ページに掲載するステップと、前記画像データをアップロードした投稿者の前記累積ポイントを加算するステップ、とを備えた画像投稿管理方法。
【請求項５】
さらに、外部端末装置が前記ユーザ側端末装置の閲覧及び投稿及び印刷を希望した場合に、前記外部端末装置が前記ユーザ側端末装置の閲覧ページへのアクセスの許可依頼とメールアドレスと、前記システム管理者側端末装置に伝達するステップと、前記システム管理者側端末装置は前記外部端末装置に会員登録ＵＲＬとパスワードをメールで発行するステップと、グループ確認ＵＲＬを通知するステップと、前記外部端末装置は前記ＵＲＬを記憶する記憶手段とを備え、前記外部端末装置から前記ＵＲＬにアクセスされた場合に、前記メールアドレスの照合をして一致の際に、前記外部端末装置に画像の閲覧及び投稿及び印刷の少なくとも一つを可能とする請求項４に記載の画像投稿管理方法。
【発明の詳細な説明】
【技術分野】
【０００１】
本発明は、あらかじめ登録されたユーザからインターネットを介してアップロードされた画像データの処理を行う画像投稿管理システム及び画像投稿管理方法に関する。
【背景技術】
【０００２】
従来、インターネット上に公開されたウェブページには、写真や絵画、ＣＧ等の画像データの投稿を募り、投稿された画像データを掲載するものがある。このように投稿された画像データを掲載しているサーバにアクセスして閲覧する人が多いとその写真、絵画、ＣＧ等の作成者に対して仕事の依頼等で入ってくることもあり、楽しむ人からみれば、多くの人の画像を見て楽しむことができる。
【０００３】
このような閲覧は誰もが可能なものもあれば、会員制を敷いて指定された会員のみが閲覧できるものもある。このように他の会員の画像をみることによって新たなグループができてさらに多くの閲覧者が増える可能性があり、外部から見れば営業の場として会員を分類しているので魅力的な市場になる可能性がある。（例えば特許文献１）。
【０００４】
【特許文献１】特開２００６−３９８００号公報
【発明の開示】
【発明が解決しようとする課題】
【０００５】
しかし、下記の特許文献１では、会員制ウェブページで会員の投稿する画像に対して管理者がチェックをして会員に閲覧するかどうかを決めた例を示している。例えば会員の投稿する画像が多くなれば、閲覧に供するに時間がかかり、投稿されてもなかなか閲覧されない投稿者のストレスは溜まることになる。また、下記特許文献１では、会全体を管理するので管理者の負担は大きい。また、会員内で画像を閲覧できるが、会員外の人に対して考慮されておらず、会員を積極的に増やすことは考えられていない。
【課題を解決するための手段】
【０００６】
本発明の請求項１の画像投稿管理システムによれば、アップロードされた画像データを掲載して閲覧可能にするための閲覧ページと、該閲覧ページに掲載を希望する画像データをアップロードするため投稿ページとを含む会員制ウェブページを少なくとも一つを有する画像投稿管理システムで、該画像投稿管理システムへのアクセスを可能にするためにログインページを含むインターネット上に公開されたウェブページを提供するサーバと、該サーバと通信ネットワークを介して通信可能に接続され、前記ウェブページを運営・管理するシステム管理者側端末装置と、前記サーバとインターネットを介して通信可能に接続され、少なくとも一つのグループから構成され、それぞれのグループにはグループ管理者端末装置が配されたユーザ側端末装置と、前記サーバはあらかじめ登録されたユーザの個人特定情報と所定結果に応じて加算される累積ポイントを記憶する個人情報記憶手段と、前記投稿ページからアップロードされた画像を記憶し、画像が貼り付けられた画像記憶手段と、ログインページから受信した個人特定情報を前記個人情報記憶手段が予め記憶した個人特定情報と照合し、一致した場合に前記会員制ウェブページへのアクセスを許可する認証手段と、前記認証手段の認証結果に基づいて前記画像データを前記閲覧ページに掲載する掲載手段と、前記画像データをアップロードした投稿者の前記累積ポイントを加算する画像投稿ポイント加算手段と、を備えた画像投稿管理システムに関するものであり、請求項２は前記システム管理者側端末装置は前記ユーザ側端末装置の閲覧、投稿、印刷の少なくとも一つを希望する外部端末装置側に対して、会員登録のための会員登録ＵＲＬをメールで発行する手段と、前記メールアドレスを記憶する記憶手段とを備え、前記外部端末装置側から前記会員登録ＵＲＬにアクセスされた場合に、前記外部端末装置の会員登録と前記記憶手段に記憶されたメールアドレスとの照合をして一致の際に、前記外部端末装置側に画像の閲覧、投稿、印刷の少なくとも一つを可能とする請求項１に記載の画像投稿管理システムに関するものであり、請求項３は前記システム管理者側端末装置は前記ユーザ側端末装置の閲覧を希望する外部端末装置側に対して、グループ確認ＵＲＬを通知する手段と、前記外部端末装置側に画像の閲覧を可能とする請求項１に記載の画像投稿管理システムであり、各グループのグループ管理者端末装置は、グループの中で管理を行うが登録はシステム管理者端末装置で行い、グループを趣味、企業等組織で構成することにより、外部からみればそのグループに対してそれぞれ特有の営業、サービスを行うことができ、広告を出すことができるメリットを有する。また、本発明は会員外の人を管理者に紹介し、または管理者が入会を誘って会に入会させることでき、多くの会員を増加させることができる。
【０００７】
本発明の請求項４は、アップロードされた画像データを掲載して閲覧可能にするための閲覧ページと、該閲覧ページに掲載を希望する画像データをアップロードするため投稿ページとを含む会員制ウェブページを少なくとも一つを有し、サーバと通信ネットワークを介して通信可能に接続され、前記ウェブページを運営・管理するシステム管理者側端末装置と、前記サーバとインターネットを介して通信可能に接続され、少なくとも一つのグループから構成され、それぞれのグループにはグループ管理者が配されたユーザ側端末装置と、前記サーバはあらかじめ登録されたユーザの特定個人情報と所定結果に応じて加算される累積ポイントを記憶する個人情報記憶手段と、前記投稿ページからアップロードされた画像を記憶し、画像が貼り付けられた画像記憶手段とを備えた画像投稿管理システムにおいてユーザが画像データを投稿する方法で、前記サーバのログインページにアクセスするステップと、前記ログインページから受信した特定個人情報を前記個人情報記憶手段が予め記憶した特定個人情報と照合し、一致した場合に前記会員制ウェブページへのアクセスを許可するステップと、前記画像データを前記閲覧ページに掲載するステップと、前記画像データをアップロードした投稿者の前記累積ポイントを加算するステップ、とを備えた画像投稿管理方法に関するものである。請求項５は、さらに、外部端末装置が前記ユーザ側端末装置の閲覧及び投稿及び印刷を希望した場合に、前記外部端末装置が前記ユーザ側端末装置の閲覧ページへのアクセスの許可依頼とメールアドレスと、前記システム管理者側端末装置に伝達するステップと、前記システム管理者側端末装置は前記外部端末装置に会員登録ＵＲＬとパスワードをメールで発行するステップと、グループ確認ＵＲＬを通知するステップと、前記外部端末装置は前記ＵＲＬを記憶する記憶手段とを備え、前記外部端末装置から前記ＵＲＬにアクセスされた場合に、前記メールアドレスの照合をして一致の際に、前記外部端末装置に画像の閲覧及び投稿及び印刷の少なくとも一つを可能とする請求項４に記載の画像投稿管理方法に関するものであり、請求項１とその従属請求項２及び３と同じように、会の中をグループが少なくとも一つあり、そのグループの中で管理を行うが、登録は各グループの上位にある本部のような組織で行い、グループを趣味、企業等組織で構成することにより外部からみればそのグループに対してそれぞれ特有の営業、サービスを行うことができ、広告を出すことができるメリットを有する。また、本発明は会員外の人を管理者に紹介し、または管理者が入会を誘って会に入会させることでき、多くの会員を増加させることができる。
【発明の効果】
【０００８】
上述したように本発明の画像投稿管理システム及び画像投稿管理方法では会を少なくとも一つ以上のグループで構成し、それぞれのグループで管理を行い、また会員外の外部の人を入会させることができ、会の発展に寄与することができる。また各グループを趣味、仕事等により分けるとそのグループに応じた情報を提供することができる。
【発明を実施するための最良の形態】
【０００９】
以下、本発明の実施の形態を図面に基づき具体的に説明する。
図１は、本発明の実施の形態に係る画像投稿管理システム１の概略構成を示すものである。本画像投稿管理システム１は、図示するように、サーバ２とシステム管理者側端末装置３が、イントラネット等のＬＡＮである通信ネットワーク４を解して通信可能に接続されており、サーバ２及びシステム管理者端末装置３は、セキュリティを確保するファイアウォール５と、ネットワーク同士を相互に接続するルータ６を介してインターネット７と接続されている。なお、システム管理者側端末装置３とユーザ側端末装置８もインターネット７を介して通信可能に接続されている。
【００１０】
また、ユーザ側端末装置８は複数集まってグループを構成し、図示するようにグループを９Ａ、９Ｂとし、グループ管理者をそれぞれ８Ａ、８Ｗとする。そのグループは例えば、趣味のグループ、仕事のグループ、同窓会のようなグループのように区分されてもよい。グループ管理者８Ａ、８Ｗは後述の外部からグループの画像を閲覧し、投稿したい人が出てきたときに対応するようにしている。
【００１１】
サーバ２は、閲覧ページ及び投稿ページを含む会員制ウェブページと、ログインページとを含むインターネット上に公開されたウェブページを運営・管理する管理者が設置しており、個人情報データベース２０及び画像データベース２１を格納するためのデータベースサーバ２２と、前記ウェブページを提供するためのウェブサーバ２３と、メールの送受信を実現するためのメールサーバ２４と、投稿者の累積ポイントを管理するためのポイント管理サーバ２５とを備えている。データベースサーバ２２、ウェブサーバ２３、メールサーバ２４、及びポイント管理サーバ２５は、不図示ではあるが、制御部（ＣＰＵ）やＲＡＭ、ＲＯＭ等を有しており、制御部によりＲＯＭに予めインストールされたコンピュータプログラムに従って各部が制御される。
【００１２】
データベースサーバ２２は、通信ネットワーク４やインターネット７を介してシステム管理者側端末装置３やユーザ側端末装置８から受信したデータを個人情報データベース２０又は画像データベース２１に格納し、検索するものである。個人情報データベース２０は、予め登録されたユーザのＩＤ、パスワード、及びメールアドレス等の個人特定情報を記憶したものであって、且つ、ユーザの累積ポイントを記憶するものである。この累積ポイントとは、ユーザに対する特典として後述するポイント管理サーバ２５によって所定結果に応じて加算されるものであり、所定結果とは、アップロードされた画像データの閲覧ページへの掲載されたことである。したがって、個人情報データベース２０は、予め登録されたユーザのＩＤ、パスワード、及びメールアドレス等の個人特定情報と、所定結果に応じて加算される累積ポイントとを記憶する個人情報記憶手段として機能する。なお、予め登録されたユーザとは、ＩＤ、パスワード、及びメールアドレス等の個人特定情報が登録されたユーザのことであり、すなわち、この個人情報データベース２０にＩＤ、パスワード、及びメールアドレス等の個人特定情報が記憶されたユーザのことをいう。画像データベース２１は、ウェブページに掲載する画像データを記憶するものであり、投稿ページからアップロードされた画像データを記憶する画像記憶手段として機能する。
【００１３】
ウェブサーバ２３は、閲覧ページ及び投稿ページを含む会員制ウェブページと、ログインページとを含むインターネット上に公開されたウェブページを提供するものである。このウェブサーバ２３は、認証手段及び掲載手段として機能する。この認証手段とは、ログインページから受信したＩＤ及びパスワードを個人情報データベース２０が記憶したＩＤ及びパスワードと照合し、一致した場合に会員制ウェブページへのアクセスを許可するものである。また、掲載手段とは、画像データを閲覧ページに掲載するものであって、閲覧ページを更新するものである。
【００１４】
メールサーバ２４は、図示しないが、メールを宛先のメールサーバまで届けるためのＳＭＴＰサーバと、メールを受け取るとともに、そのメールを引き渡すためのＰＯＰサーバとから構成され、システム管理者宛メール送信手段、グループ管理者宛メール送信手段として機能する。このシステム管理者宛メール送信手段とは、後述の外部の人がこの会に入会したいときにシステム管理者宛に送信するものである。
【００１５】
ポイント管理サーバ２５は、ユーザの累積ポイントを管理するためのものであり、累積ポイントを加算する場合は、データベースサーバ２２の個人情報データベース２０からユーザの累積ポイントを読み出してポイントを加算する。加算された累積ポイントは、データベースサーバ２２により個人情報データベース２０に更新して記憶される。なお、このポイントを加算した経過をログとして記憶させてもよい。このポイント管理サーバ２５は、画像投稿ポイント加算手段、計数手段、及びポイント加算手段として機能する。この画像投稿ポイント加算手段とは、閲覧ページへの掲載の許可を受けて画像データをアップロードした投稿者の累積ポイントを加算するものである。
【００１６】
システム管理者側端末装置３は、大型コンピュータでなくても、システム管理者が設置した汎用のパーソナルコンピュータでもよく、モニタ等の表示部と、キーボードやマウス等の入力部を備えており、表示部にウェブページを表示するブラウザや、メールの送受信を行うためのメーラーがインストールされている。後述する外部からの当会の入会希望者からの入会希望の旨のメールに応じて会員登録処理を行う機能を有する。
【００１７】
ユーザ側端末装置８Ａ、８Ｂ，８Ｃ、８Ｄ，８Ｄ、８Ｅはグループ９Ａを構成し、ユーザ端末装置８Ｗ、８Ｘ，８Ｙ、８Ｚはグループ９Ｂを構成する。各ユーザ端末装置は、ユーザが設置した汎用のパーソナルコンピュータであり、モニタ等の表示部と、キーボードやマウス、操作キー等の入力部を備えており、表示部にウェブページを表示するブラウザや、メールの送受信を行うためのメーラーがインストールされている。また、各ユーザ端末装置の各グループにはグループ管理者端末装置８Ａ、８Ｗが設けられており、後述する外部からの当会の入会希望者に対してシステム管理者のアドレスを紹介するなどを行う。各ユーザ側端末装置は、ウェブページにアクセスし、ＩＤ及びパスワードをログインページからサーバ２に送信し、閲覧ページに掲載を希望する画像データを投稿ページからサーバ２にアップロードするものとして機能する。
【００１８】
外部のユーザ端末装置８Ｎはグループ管理者端末装置８Ａを通して当会に入会希望である旨をメールで受信し、システム管理者端末装置３にその旨を伝えると、システム管理者端末装置３は登録処理を行う。また別の方法で、ユーザ端末装置８Ｎが直接システム管理者端末装置３にアクセスし登録処理を行ってもよい。
【００１９】
なお、本発明は上記実施形態に限定されるものではなく、本発明の要旨の範囲内で種々の変形実施が可能である。例えば、本実施の形態では、サーバ２とシステム管理者側端末装置３は、ＬＡＮである通信ネットワーク４を介して通信可能に接続されているが、サーバ２とシステム管理者側端末装置３が遠隔地にある場合等は、ファイアウォール５等により十分なセキュリティを確保することにより、インターネット７を介して通信可能に接続されてもよい。また、ユーザ側端末装置８は、汎用のパーソナルコンピュータとしているが、インターネット７に接続可能な携帯電話や個人携帯端末ＰＤＡ等であってもよく、その場合、ブラウザ機能とメール機能を備えていればよい。また、個人情報データベース２０は、ユーザのＩＤ、パスワード、メールアドレス、及び累積ポイント以外にも、住所や電話番号等の個人特定情報を記憶してもよい。
【００２０】
次に、本画像投稿管理システム１を用いて実現される画像投稿管理方法について説明する。図２は、本画像投稿管理方法における予め登録されたユーザから画像データがアップロードされる場合の各ステップを示したフローチャートである。
本画像投稿管理方法では、画像投稿管理システム１を用いて、システム管理者が予め登録されたユーザからアップロードされた画像データの閲覧ページへの掲載をした場合、該画像データを閲覧ページに掲載し、掲載のお知らせを該画像データの投稿者グループ全員宛に送信するとともに、該投稿者の累積ポイントを加算して累積して記憶する。
【００２１】
まず、予め登録されたユーザが、ユーザ側端末装置８でブラウザに表示されたログインページから登録したＩＤ及びパスワードを入力し（Ｓ１）、ログインボタンをクリックして前記ＩＤ及びパスワードをサーバ２に送信すると、ウェブサーバ２３は、受信したＩＤ及びパスワードをデータベースサーバ２２の個人情報データベース２０に記憶したＩＤ及びパスワードと照合し（Ｓ２）、一致した場合に会員制ウェブページへのアクセスを許可する。会員制ウェブページへのアクセスを許可された、すなわち会員制ウェブページにログインしたユーザは、投稿ページにアクセスして、該投稿ページからユーザ側端末装置８に記憶された閲覧ページへの掲載を希望する画像データを指定して、送信ボタンをクリックすることにより画像データをサーバ２にアップロードする（Ｓ３）。上記の照合の際に一致しなければ再送信を促し、所定回数連続して一致しなかった場合はアクセスを許可しない。また、投稿ページにおいてアップロードする画像データのタイトルを入力できるようにしてもよい。
【００２２】
このように、本画像投稿管理方法によれば、管理者が予め登録されたユーザからインターネットを介してアップロードされた画像データの閲覧ページへの掲載を入力するだけで、前記画像データを閲覧ページに掲載でき（S４）、投稿者の累積ポイントを管理することができ（S５）、よって、管理者の時間と手間を大幅に省くことができる。
【００２３】
なお、本発明は上記実施形態に限定されるものではなく、本発明の要旨の範囲内で種々の変形実施が可能である。例えば、Ｓ４において、ウェブサーバ２３は、画像データベース２１に記憶した画像データを閲覧ページに掲載するのに適した所定のサイズに変更した画像データを作成して、別途画像データベース２１に記憶したが、サイズの変更だけでなく、画質調整等を行うものとしてもよい。
【００２４】
図３は外部から当会の画像を閲覧したい人が当会に入会を希望する例を示し、
フローチャートでその仕事の流れを示す。
入会希望の外部端末装置８Ｎがグループ９Ａのグループ管理者端末装置８Ａに入会希望をメールで伝えると、グループ管理者８Ａはシステム管理者側端末装置３Ａにその旨をメールする（Ｓ６）。それに基づいてシステム管理者側端末装置３Ａは入会希望の外部端末装置８Ｎにメールで入会希望者に相応しいグループＵＲＬとパスワード、そして会員登録前にグループ確認ＵＲＬを通知する（Ｓ７）。前記グループＵＲＬと前記グループ確認ＵＲＬは同一の内容でもよく、グループ内の写真がスライドショー等で表示され、且つグループ内の写真の閲覧制限をかけるとなおよい。入会希望の外部端末装置８Ｎが、会員登録ウェブページでメールアドレスとパスワードを入力する（Ｓ８）とサーバに記憶したものと一致したかどうかを判定する（Ｓ９）。一致した場合にサーバに画像を閲覧用に修正し、アップロードする（Ｓ１０）と共に会員に新たに画像がアップロードされたことを報知する（Ｓ１１）。さらに画像が掲載されたことでポイントが入力される（Ｓ１２）。
【００２５】
図３では入会希望者がグループの管理者に入会希望を伝えたが、グループ管理者でなくて、グループの別の会員に伝え、グループ管理者を介してか、または直接システム管理者に入会希望を伝えてもよい。
【００２６】
また、入会希望者が直接システム管理者にどこかのグループに入会希望を伝えて、どのようなグループ、例えば趣味のグループであればそれに適したグループを管理者が紹介してもよい。また、システム管理者が広く会員を募り、入会希望者を入会させてもよい。
【００２７】
本画像投稿管理システムではユーザは画像をサーバにアップロードした後、閲覧ページにアップされる際に公序良俗違反、著作権違反等についてチェックをグループ管理者、システム管理者で行うようになっていないが、それらのチェックをグループ管理者、システム管理者で行った後に閲覧ページに掲載許可してもよいことは言うまでもない。
【００２８】
本画像投稿管理システムで外部の入会希望者に対してシステム管理者端末装置より入会希望者に相応しいグループに割り当てたが、グループ管理者端末よりわがグループには相応しくない場合は再度、システム管理者端末装置にその旨を伝えて再割り当てをすることもできる。
【図面の簡単な説明】
【００２９】
【図１】本発明の実施の形態に係る画像投稿管理システムの構成例を示すブロック図である。
【図２】本発明の実施の形態に係る画像投稿管理方法の画像データがアップロードされる場合の主要ステップを示す。
【図３】本発明の実施の形態に係る画像投稿管理システムで外部からの入会希望者に対する例の主要ステップを示す。
【符号の説明】
【００３０】
１・・・・画像投稿管理システム
２・・・・サーバ
３・・・・システム管理者側端末装置
４・・・・通信ネットワーク
５・・・・ファイアウォール
６・・・・ルータ
７・・・・インターネット
８・・・・ユーザ側端末装置
９Ａ、９Ｂ・・・・ユーザグループ
８Ａ、８Ｗ・・・グループ管理者端末装置
２０・・・個人情報データベース
２１・・・画像データベース
２３・・・ウェブサーバ
２４・・・メールサーバ
２５・・・ポイント管理サーバ
【図１】
2008108027.tif 000003
【図２】
2008108027.tif 000004
【図３】
2008108027.tif 000005